(57)【要約】【課題】デッキパン上に陳列される商品の視認性を向上させ、且つ、冷気エアーカーテンの乱れも効果的に解消することができるオープンショーケースを提供する。【解決手段】オープンショーケース１は、前面が開口する陳列室４の底部にデッキパン９を設置し、このデッキパン上に商品Ｇを陳列すると共に、陳列室の開口上縁に形成された内層吐出口１６から冷気を吐出し、この内層吐出口の前下方に位置する陳列室の開口下縁に形成された吸込口１８から吸い込むことで、陳列室の開口に冷気エアーカーテンＲＡを形成して成る。デッキパン９は、上部が下部よりも後退した後下がり状態で商品Ｇを陳列するように前上がりに傾斜した傾斜陳列部２７を備える。【選択図】図１
2014150993.tif 000002
【特許請求の範囲】
【請求項１】
前面が開口する陳列室の底部にデッキパンを設置し、該デッキパン上に商品を陳列すると共に、前記陳列室の開口上縁に形成された冷気吐出口から冷気を吐出し、該冷気吐出口の前下方に位置する前記陳列室の開口下縁に形成された冷気吸込口から吸い込むことで、前記陳列室の開口に冷気エアーカーテンを形成して成るオープンショーケースにおいて、
前記デッキパンは、上部が下部よりも後退した後下がり状態で前記商品を陳列するように前上がりに傾斜した傾斜陳列部を備えることを特徴とするオープンショーケース。
【請求項２】
前記デッキパンは、前記傾斜陳列部の後側に連続して水平な水平陳列部を備えることを特徴とする請求項１に記載のオープンショーケース。
【請求項３】
前記デッキパンは、前記傾斜陳列部上に陳列された商品を後から支える商品倒れ防止部材を備えることを特徴とする請求項２に記載のオープンショーケース。
【請求項４】
前記傾斜陳列部に形成された前係合孔と、前記水平陳列部に形成された後係合孔と、前記商品倒れ防止部材の前辺下端に形成された前差込部と、前記商品倒れ防止部材の後辺下端に形成された後差込部とを備え、
前記前差込部を前記前係合孔に、前記後差込部を前記後係合孔にそれぞれ挿脱自在に差し込むことにより、前記商品倒れ防止部材は前記傾斜陳列部と前記水平陳列部間に渡って着脱自在に取り付けられることを特徴とする請求項３に記載のオープンショーケース。
【請求項５】
前記前係合孔及び後係合孔は前後にそれぞれ複数形成され、前記前差込部及び後差込部を差し込む前記前係合孔及び後係合孔を変更することで前記傾斜陳列部の奥行き寸法を調整し、該傾斜陳列部上に前後寸法の異なる商品を前後方向に並べても、最前列の商品同士が略面一となるようにしたことを特徴とする請求項４に記載のオープンショーケース。
【請求項６】
前記前差込部及び後差込部を差し込む前記前係合孔及び後係合孔を変更することで前記商品倒れ防止部材の前後位置が変更されると共に、
何れの位置においても、前記商品倒れ防止部材の少なくとも前辺は前記傾斜陳列部から略垂直に起立する構成とされていることを特徴とする請求項５に記載のオープンショーケース。
【請求項７】
前記デッキパンは、前記傾斜陳列部の前側に位置して、前斜め上方に指向した商品広告部を備えることを特徴とする請求項１乃至請求項６のうちの何れかに記載のオープンショーケース。
【請求項８】
前記デッキパンは、前記陳列室より前方に引き出し自在に設置されていることを特徴とする請求項１乃至請求項７のうちの何れかに記載のオープンショーケース。
【発明の詳細な説明】
【技術分野】
【０００１】
本発明は、陳列室の前面の開口に冷気エアーカーテンを形成して成るオープンショーケースに関するものである。
【背景技術】
【０００２】
従来より陳列室の前面が開口したオープンショーケースは、陳列室の底部に位置してデッキパンと称される底板が敷設されている。このデッキパンは、通常は水平に取り付けられているが、その上方に架設された棚と同様に前方に低く傾斜して設けたものも開発されている（例えば、特許文献１、特許文献２参照）。
【０００３】
このように前方に低く傾斜させ、前下がりとすることで、最前列の商品が取り出された場合、デッキパン上の商品が自重で前方に移動し、常に手前側に詰まったかたちで商品を陳列することができる効果がある。
【先行技術文献】
【特許文献】
【０００４】
【特許文献１】特開平６−５０６５５号公報
【特許文献２】特開２００６−４２９７３号公報
【特許文献４】特開２００４−１０５５２６号公報
【発明の概要】
【発明が解決しようとする課題】
【０００５】
ここで、この種オープンショーケースは、大型のものになる程上方に陳列された商品の視認性を考慮し、上部が下部より後退した形状を呈しており、それに合わせて開口下縁の冷気吸込口は開口上縁の冷気吐出口より前方に位置した構造とされる。従って、冷気吐出口から吐出され、冷気吸込口に吸い込まれる冷気エアーカーテンは、上から前下方に斜めに吹き下ろされるかたちとなる。
【０００６】
しかしながら、前記特許文献１や特許文献２の如くデッキパンを前下がりに設けた場合、商品はその上部が下部よりも前方に位置した傾斜状態で陳列されることになるので、商品が起立する方向と、冷気エアーカーテンの流下する方向とが直角に近いかたちで交差するようになり、それによりデッキパン上の商品が冷気吸込口に吸い込まれる冷気の障壁となって冷気エアーカーテンが大きく乱れてしまう問題があった。
【０００７】
これに対して、例えば特許文献３では棚ではあるものの、前方に低く傾斜させた後、前端部を商品一つ分だけ水平とし、商品が直立するようにして冷気エアーカーテンの乱れを極力防止する工夫が成されているが、やはり商品の起立方向（垂直方向）が前下方に斜めに吹き下ろされる冷気エアーカーテンと交差することになるため、この構造をデッキパンに適用したとしても、エアーカーテンの乱れを解消し切れないという課題があった。
【０００８】
本発明は、係る従来の技術的課題を解決するために成されたものであり、デッキパン上に陳列される商品の視認性を向上させ、且つ、冷気エアーカーテンの乱れも効果的に解消することができるオープンショーケースを提供することを目的とする。
【課題を解決するための手段】
【０００９】
本発明のオープンショーケースは、前面が開口する陳列室の底部にデッキパンを設置し、このデッキパン上に商品を陳列すると共に、陳列室の開口上縁に形成された冷気吐出口から冷気を吐出し、この冷気吐出口の前下方に位置する陳列室の開口下縁に形成された冷気吸込口から吸い込むことで、陳列室の開口に冷気エアーカーテンを形成して成るものであって、デッキパンは、上部が下部よりも後退した後下がり状態で商品を陳列するように前上がりに傾斜した傾斜陳列部を備えることを特徴とする。
【００１０】
請求項２の発明のオープンショーケースは、上記発明においてデッキパンは、傾斜陳列部の後側に連続して水平な水平陳列部を備えることを特徴とする。
【００１１】
請求項３の発明のオープンショーケースは、上記発明においてデッキパンは、傾斜陳列部上に陳列された商品を後から支える商品倒れ防止部材を備えることを特徴とする。
【００１２】
請求項４の発明のオープンショーケースは、上記発明において傾斜陳列部に形成された前係合孔と、水平陳列部に形成された後係合孔と、商品倒れ防止部材の前辺下端に形成された前差込部と、商品倒れ防止部材の後辺下端に形成された後差込部とを備え、前差込部を前係合孔に、後差込部を後係合孔にそれぞれ挿脱自在に差し込むことにより、商品倒れ防止部材は傾斜陳列部と水平陳列部間に渡って着脱自在に取り付けられることを特徴とする。
【００１３】
請求項５の発明のオープンショーケースは、上記発明において前係合孔及び後係合孔は前後にそれぞれ複数形成され、前差込部及び後差込部を差し込む前係合孔及び後係合孔を変更することで傾斜陳列部の奥行き寸法を調整し、この傾斜陳列部上に前後寸法の異なる商品を前後方向に並べても、最前列の商品同士が略面一となるようにしたことを特徴とする。
【００１４】
請求項６の発明のオープンショーケースは、上記発明において前差込部及び後差込部を差し込む前係合孔及び後係合孔を変更することで商品倒れ防止部材の前後位置が変更されると共に、何れの位置においても、商品倒れ防止部材の少なくとも前辺は傾斜陳列部から略垂直に起立する構成とされていることを特徴とする。
【００１５】
請求項７の発明のオープンショーケースは、上記各発明においてデッキパンは、傾斜陳列部の前側に位置して、前斜め上方に指向した商品広告部を備えることを特徴とする。
【００１６】
請求項８の発明のオープンショーケースは、上記各発明においてデッキパンは、陳列室より前方に引き出し自在に設置されていることを特徴とする。
【発明の効果】
【００１７】
本発明によれば、前面が開口する陳列室の底部にデッキパンを設置し、このデッキパン上に商品を陳列すると共に、陳列室の開口上縁に形成された冷気吐出口から冷気を吐出し、この冷気吐出口の前下方に位置する陳列室の開口下縁に形成された冷気吸込口から吸い込むことで、陳列室の開口に冷気エアーカーテンを形成して成るオープンショーケースにおいて、デッキパンに、上部が下部よりも後退した後下がり状態で商品を陳列するように前上がりに傾斜した傾斜陳列部を設けたので、デッキパンの傾斜陳列部上の商品の向きを、冷気吐出口から吐出され、前下方に斜めに吹き下ろされて冷気吸込口に吸い込まれる冷気エアーカーテンの流下する方向に合わせることが可能となる。
【００１８】
即ち、デッキパンの傾斜陳列部上の商品の前面に沿って、或いは、その前方を冷気エアーカーテンは円滑に流下するようになるので、デッキパン上の商品による冷気エアーカーテンの乱れを防止若しくは効果的に抑制することが可能となり、陳列室からの冷気の漏洩や陳列室内への外気の侵入による冷却効果の悪化を回避し、商品を支障なく冷却しながら陳列し、且つ、省エネルギーにも寄与することができるようになる。
【００１９】
また、この場合傾斜陳列部上の商品の前面は前斜め上方に指向するかたちとなるが、デッキパンは陳列室の底部にあり、顧客の足下に位置しているので、顧客からの視認性も良好となる。これにより、商品の販売効果も改善することができるようになる。
【００２０】
また、請求項２の発明によれば、上記発明に加えてデッキパンには、傾斜陳列部の後側に連続して水平な水平陳列部を設けたので、この水平陳列部に商品を冷却しながらストックしておくことができるようになる。また、デッキパン全体を傾斜させる場合に比して、傾斜陳列部の前端の高さを低く抑えることができるようになり、陳列室内のデッドスペースを最小限に抑制することが可能となる。
【００２１】
この場合、請求項８の発明の如くデッキパンを陳列室より前方に引出自在に設置すれば、デッキパンを引き出して水平陳列部から傾斜陳列部へ商品を容易に移動し、また、水平陳列部に商品を容易に補充することが可能となる。
【００２２】
また、請求項３の発明の如くデッキパンに、傾斜陳列部上に陳列された商品を後から支える商品倒れ防止部材を設ければ、傾斜陳列部上の商品が後方に滑り落ちてしまう不都合も防止することが可能となる。
【００２３】
その場合、請求項４の発明の如く傾斜陳列部に前係合孔を形成し、水平陳列部に後係合孔を形成し、商品倒れ防止部材の前辺下端には前差込部を形成し、商品倒れ防止部材の後辺下端には後差込部を形成して、前差込部を前係合孔に、後差込部を後係合孔にそれぞれ挿脱自在に差し込むことで、商品倒れ防止部材を傾斜陳列部と水平陳列部間に渡って着脱自在に取り付けるようにすれば、商品倒れ防止部材をデッキパンに強固に取り付け、比較的大型の商品であっても、その荷重を支障なく受け止めることができるようになる。
【００２４】
また、その場合、請求項５の発明の如く前係合孔及び後係合孔を前後にそれぞれ複数形成しておき、前差込部及び後差込部を差し込む前係合孔及び後係合孔を変更することで傾斜陳列部の奥行き寸法を調整し、この傾斜陳列部上に前後寸法の異なる商品を前後方向に並べても、最前列の商品同士が略面一となるようにすれば、例えばデッキパンが陳列室の底部に複数枚並設されているときに、前後寸法が異なる商品を各デッキパンの傾斜陳列部上に前後方向に並べる場合等に、前差込部及び後差込部を差し込む前係合孔及び後係合孔を変更して各傾斜陳列部の奥行き寸法を調整することで、傾斜陳列部上の最前列の商品の前面の位置を左右で面一に合わせることが可能となり、商品の展示の見栄えが良くなって商品の陳列効果が向上すると共に、冷気エアーカーテンの乱れ防止効果も向上させることができるようになる。
【００２５】
このとき、傾斜陳列部は前上がりに傾斜しているため、請求項６の発明の如く前差込部及び後差込部を差し込む前係合孔及び後係合孔を変更することで商品倒れ防止部材の前後位置が変更されると、商品倒れ防止部材の位置を前側に変更する程、前辺下端が上昇し、そのままでは商品倒れ防止部材は後ろに傾斜するかたちとなってしまうが、請求項６の発明の如く何れの取付位置においても、商品倒れ防止部材の少なくとも前辺が傾斜陳列部から略垂直に起立する構成とすることで、係る商品倒れ防止部材の後傾を防止し、何れの位置においても商品を良好に後から支えることが可能となる。
【００２６】
また、請求項７の発明の如くデッキパンの傾斜陳列部の前側に位置して、前斜め上方に指向した商品広告部を設ければ、傾斜陳列部を構成することで前端部が高くなるデッキパンの形状を利用して商品の広告を行うことが可能となる。この場合にも商品広告部は前斜め上方に指向するので、顧客は商品の広告を良好に視認することが可能となるものである。
【図面の簡単な説明】
【００２７】
【図１】本発明を適用した一実施例のオープンショーケースの縦断側面図である。
【図２】図１のオープンショーケースのデッキパンの平面図である。
【図３】図２のデッキパンの側面図である。
【図４】図２のデッキパンの正面図である。
【図５】図２のデッキパンの商品倒れ防止部材の平面図である。
【図６】図５の商品倒れ防止部材の平面図である。
【図７】図５の商品倒れ防止部材の側面図である。
【図８】図５の商品倒れ防止部材の前方斜視図である。
【図９】図５の商品倒れ防止部材の後方斜視図である。
【図１０】図２のデッキパンの前方斜視図である。
【図１１】図１０のデッキパンの後方斜視図である。
【図１２】図２のデッキパンのもう一つの前方斜視図である。
【図１３】図１２のデッキパンの後方斜視図である。
【図１４】図２のデッキパンの更にもう一つの前方斜視図である。
【図１５】図１４のデッキパンの後方斜視図である。
【発明を実施するための形態】
【００２８】
以下、本発明の実施の形態について、図面に基づき詳細に説明する。
【００２９】
図１は本発明を適用した一実施例のオープンショーケース１を示している。実施例のオープンショーケース１は、スーパーマーケット等の店舗に設置されてペットボトル入り飲料等の商品Ｇを冷却（冷蔵）しながら陳列する大型の縦型オープンショーケースである。オープンショーケース１は断面コ字状の断熱壁２と、断熱壁２の左右に取り付けられた図示しない側板とから成り、断熱壁２の内側に間隔を存して取り付けられた仕切板３の内側が前面に開口する陳列室４、仕切板３と断熱壁２間が内層ダクト６及び外層ダクト７とされている。尚、各ダクト６、７間は図示しない仕切板にて仕切られているものとする。
【００３０】
陳列室４内には複数段の棚８が架設されており、陳列室４の底部にはデッキパン９が敷設され、それぞれに商品Ｇが陳列される。このデッキパン９の下方の内層ダクト６及び外層ダクト７内には送風機を内蔵した送風装置１１がそれらに渡って設けられ、陳列室４の背方の内層ダクト６内には冷却器１２が縦設されている。一方、陳列室４の前面開口１３の上縁には内外二列の内層吐出口（冷気吐出口）１６、外層吐出口１７が形成され、内層ダクト６、外層ダクト７にそれぞれ連通している。また、陳列室４の前面開口１３の下縁には吸込口（冷気吸込口）１８が形成されて各ダクト６、７に連通している。
【００３１】
この場合、オープンショーケース１は陳列室４内の上部に陳列した商品Ｇの視認性を考慮して断熱壁２の上部は下部よりも後退した形状を呈しており、棚８は上段のもの程前後幅が小さく、前下がりに架設されている。また、底部のデッキパン９はこれらの棚８よりも前後寸法が大きいものとされ、その前端部は吸込口１８より上に位置してその内側近傍まで達している。そのため、開口１３下縁の吸込口１８は上縁の内層吐出口１６及び外層吐出口１７の前下方に位置した構造とされている。尚、このデッキパン９の構造については後に詳述する。また、図１の４３はナイトカバーであり、外層吐出口１７の前側の断熱壁２の上縁前端に取り付けられ、閉店時に引き出されて前面開口１３の下縁の断熱壁２に係合され、陳列室４の前面開口１３を閉じるものである。
【００３２】
以上の構成で送風装置１１内の各ダクト用の送風機が運転されると、内層ダクト６では冷却器１２と熱交換した冷気が吹き上げられ、内層吐出口１６から陳列室４の開口１３に向けて吐出されて吸込口１８から吸い込まれる。また、外層ダクト７では空気が吹き上げられ、外層吐出口１７から開口１３に向けて吐出されて吸込口１８から吸い込まれる。これにより、陳列室４の開口１３には内層の冷気エアーカーテン、その外層のエアーカーテン（冷気エアーカーテンの保護用）が形成される。
【００３３】
前述したように吸込口１８は内層吐出口１６及び外層吐出口１７の前下方に位置している関係上、冷気エアーカーテン及びその外側のエアーカーテンは、図１に矢印で示すように（冷気エアーカーテンをＲＡで示し、保護用のエアーカーテンＧＡで示す）開口１３上縁の各吐出口１６、１７から冷気及び空気が前下方に斜めに吹き下ろされるかたちで形成されることになる。
【００３４】
次に、図２以降を参照して上記デッキパン９について説明する。実施例のデッキパン９は陳列室４の底部に位置して左右に複数枚並設されている（図４では２枚のみ示す）。デッキパン９は鋼板を折曲することで形成されており、レール２１を介して断熱壁２に取り付けられ、陳列室４より前方に引き出し自在とされている。
【００３５】
デッキパン９は商品Ｇが載置される本体２２と、左右の側壁２３と、背壁２４と前壁２６とから成り、本体２２の前半分程の部分の上には所定の角度で前上がりに傾斜された後、直角に下方に折曲されたかたちの傾斜部材２５が取り付けられている。そしてこの傾斜部材２５の前上がりに傾斜した部分を傾斜陳列部２７とされると共に、この傾斜陳列部２７から後側に連続する本体２２の水平部分が水平陳列部２８とされている。また、前壁２６はこの傾斜陳列部２７の前端から連続して降下した部分で構成されており、その前面は前斜め上方に指向した商品広告部２９とされている。この商品広告部２９にはＰＯＰと称される商品Ｇに関する広告パネル等を取り付ける。尚、３１は傾斜陳列部２７の前端部から起立して商品Ｇの落下を防止するガードである。
【００３６】
また、傾斜陳列部２７の後部には前後に所定間隔で三列（複数列）形成された前係合孔３２の組が四カ所設けられており、水平陳列部２８の前部にも前後に所定間隔で三列（複数列）形成された後係合孔３３の組が三カ所設けられている。尚、後係合孔３３は前方に位置するもの程、左右方向の幅が小さくなるように形成されている。そして、これら傾斜陳列部２７と水平陳列部２８に渡って前後係合孔３２、３３にそれぞれ挿脱自在に差し込まれるかたちで、傾斜陳列部２７後部の水平陳列部２８との境界部分には、商品倒れ防止部材３４が左右に渡って着脱自在に取り付けられている。尚、３６は傾斜陳列部２７に取り付けられた左右方向の仕切材であり、商品倒れ防止部材３４の後述する前辺３７下部に形成された複数のスリット４６と傾斜陳列部２７に位置する傾斜部材２５に形成された複数のスリット４４に係脱自在に係合されて取り付けられる。
【００３７】
ここで、デッキパン９の傾斜陳列部２７は前上がりで傾斜しているが、その角度は前記吸込口１８の上方の冷気エアーカーテンＲＡ（吸込口１８に吸い込まれる直前の冷気エアーカーテン）が流下する方向に直交する角度とされ、前壁２６はこの冷気エアーカーテンＲＡが流下する方向に略平行（略沿った）となるように上部が下部より後退して前斜め上方に指向した角度とされている。これにより、傾斜陳列部２７に左右複数列で且つ前後方向に並べて載置陳列される商品Ｇは上部が下部よりも後退した後下がり状態で陳列され、商品倒れ防止部材３４に後から支えられて保持されるかたちとなり、水平陳列部２８では商品Ｇが垂直方向に起立して載置される。
【００３８】
これにより、傾斜陳列部２７上の最前列の商品Ｇの前面及び前壁２６は、内層吐出口１６から吐出されて吸込口１８に吸い込まれる冷気エアーカーテンＲＡの流下方向に略沿ったかたちとなり、冷気エアーカーテンＲＡはそれらに沿って流下し、エアーカーテンＧＡはその前側を流下することになる（図１）。このようなエアーカーテンＲＡ、ＧＡの流れとなるので、冷気がオープンショーケース１の外部へ流れ難くなり、オープンショーケース１が設置された店舗への冷気漏れや店舗内における冷気溜まりも生じ難くなり、所謂コールドアイルを店舗に来た顧客が感じ難くなる効果がある。また、ナイトカバー４３が引き出され、その下端が前面開口１３の下縁の断熱壁２に係合された場合にも、最前列の商品Ｇ及び前壁２６はこのナイトカバー４３の内側に沿ったかたちとなるので、これらが引き出されたナイトカバー４３と干渉する不都合も生じない。
【００３９】
ここで、商品倒れ防止部材３４は横長の鋼板を折曲することにより構成され、図５乃至図９に示すように、前辺３７と、上辺３８と、後辺３９とから構成されている。前辺３７の下端には前方に突出して前係合孔３２の何れかに挿脱自在に差し込まれる前差込部４１が左右に四カ所形成されており、後辺３９の下端には下方に突出して後係合孔３３の何れかに挿脱自在に差し込まれる後差込部４２が左右に三カ所形成されている。
【００４０】
この場合、後差込部４２は図６に示す如き階段状の楔形状を呈しており、最も先端より上側で両側に張り出した肩の部分が一段目４２Ａ、その上側で両側に張り出した肩の部分が二段目４２Ｂ、その上側で後辺３９の下端となる部分が三段目４２Ｃとされ、最も前側の後係合孔３３に先端が進入した状態で一段目４２Ａがその両側の水平陳列部２８に当接し、その後の真ん中の後係合孔３３に先端及び一段目４２Ａが進入した状態で二段目４２Ｂがその両側の水平陳列部２８に当接し、最も後側の後係合孔３３に後差込部４２全体が進入した状態で後辺３９の下縁となる三段目４２Ｃが水平陳列部２８に当接する構成とされている。
【００４１】
このような構成で、図１０〜図１５を参照して商品倒れ防止部材３４の取付形態を説明する（図１０〜図１５では側壁２３と背壁２４を削除して示している）。商品倒れ防止部材３４は、傾斜陳列部２７に形成された前係合孔３２と水平陳列部２８に形成された後係合孔３３に前差込部４１と後差込部４２をそれぞれ挿脱自在に係合させることで、傾斜陳列部２７と水平陳列部２８間に渡って着脱自在に取り付けられる。
【００４２】
これにより、商品倒れ防止部材３４は強固にデッキパン９に取り付けられるものであるが、前差込部４１を差し込む前係合孔３２と後差込部４２を差し込む後係合孔３３を選択することで、前後位置を変更可能とされる。それにより、傾斜陳列部２７の奥行き寸法を調整し、傾斜陳列部２７上に前後方向に並べられる商品Ｇの前後寸法や直径、数の相違で最前列の商品Ｇ同士の前面が左右のデッキパン９の相互で異なってしまうことを防止し、それらを略面一に合わせて見た目を良くし、冷気エアーカーテンＲＡの乱れも抑制することができるように構成されている。
【００４３】
この場合、商品倒れ防止部材３４を最も後側に取り付けて傾斜陳列部２７の奥行き寸法を最大とするときには、図１０、図１１に示すように前差込部４１を最も後側の前係合孔３２に差し込み、後差込部４２も最も後側の後係合孔３３に差し込む。傾斜陳列部２７は前上がりに傾斜している関係上、前係合孔３２の位置は最も低い位置にあり、前辺３７も最も低くなって傾斜陳列部２７から略垂直に起立した状態となる。他方、前述のように後差込部４２は最も上となる三段目４２Ｃが水平陳列部２８に当接した状態となるので（図１１では後差込部４２を透視して示している）、後辺３９も最も低くなって水平陳列部２８から略垂直に起立した状態となる（図３）。
【００４４】
次に、商品倒れ防止部材３４をそれより前側に取り付けて傾斜陳列部２７の奥行き寸法を一段階狭くするときには、図１２、図１３に示すように前差込部４１を真ん中の前係合孔３２に差し込み、後差込部４２も真ん中の後係合孔３３に差し込む。傾斜陳列部２７は前上がりに傾斜している関係上、前係合孔３２の位置は一段高くなり、前辺３７も図１０、図１１の場合よりも一段高くなる。他方、前述のように後差込部４２は一つ下の二段目４２Ｂが水平陳列部２８に当接した状態となるので、後辺２９も一段高くなる。これにより、商品倒れ防止部材３４が前側に移動したにも拘わらず、その前辺３７は傾斜陳列部２７から略垂直に起立した状態を維持し、後辺３９も水平陳列部２８から略垂直に起立した状態を維持できることになる。
【００４５】
次に、商品倒れ防止部材３４を最も前側に取り付けて傾斜陳列部２７の奥行き寸法を最小とするときには、図１４、図１５に示すように前差込部４１を最も前側の前係合孔３２に差し込み、後差込部４２も最も前側の後係合孔３３に差し込む。同様に傾斜陳列部２７は前上がりに傾斜している関係上、前係合孔３２の位置は更に一段高くなり、前辺３７も図１２、図１３の場合よりも更に一段高くなる。他方、前述のように後差込部４２はもう一つ下の一段目４２Ａが水平陳列部２８に当接した状態となるので、後辺２９も更に一段高くなる。これにより、商品倒れ防止部材３４が更に前側に移動したにも拘わらず、その前辺３７は傾斜陳列部２７から略垂直に起立した状態を維持し、後辺３９も水平陳列部２８から略垂直に起立した状態を維持できることになる。これにより、商品倒れ防止部材３４の取付位置に拘わらず、傾斜陳列部２７上の商品Ｇを支障なく後から支えることができるようになる。
【００４６】
以上詳述した如く、オープンショーケース１のデッキパン９に、上部が下部よりも後退した後下がり状態で商品Ｇを保持するように前上がりに傾斜した傾斜陳列部２７を設けたので、図１に示す如くデッキパン９の傾斜陳列部２７上の商品Ｇの向きを、内層吐出口（冷気吐出口）１６から吐出され、前下方に斜めに吹き下ろされて吸込口（冷気吸込口）１８に吸い込まれる冷気エアーカーテンＲＡの流下する方向に合わせることが可能となる。
【００４７】
即ち、デッキパン９の傾斜陳列部２７上の商品Ｇの前面に沿って、或いは、その前方を冷気エアーカーテンＲＡは円滑に流下するようになる。これにより、デッキパン９上の商品Ｇによる冷気エアーカーテンＲＡやエアーカーテンＧＡの乱れを防止、若しくは、効果的に抑制することが可能となり、陳列室４からの冷気の漏洩や陳列室４内への外気の侵入による冷却効果の悪化を回避し、商品Ｇを支障なく冷却しながら陳列し、且つ、省エネルギーにも寄与することができるようになる。
【００４８】
また、傾斜陳列部２７上の商品Ｇの前面は前斜め上方に指向するかたちとなる。これにより、陳列室４の底部において顧客の足下に位置するデッキパン９上の商品Ｇの顧客からの視認性が良好となる。これにより、商品Ｇの販売効果も改善することができるようになる。また、デッキパン９には、傾斜陳列部２７の後側に連続して水平な水平陳列部２８を設けたので、この水平陳列部２８に商品Ｇを冷却しながらストックしておくことができるようになる。
【００４９】
この場合、デッキパン９はレール２１により陳列室４より前方に引出自在に設置しているので、デッキパン９を引き出した状態で、水平陳列部２８から傾斜陳列部２７へ商品Ｇの移動を容易に行い、また、水平陳列部２８に商品Ｇを容易に補充することが可能となる。
【００５０】
また、デッキパン９には傾斜陳列部２７上に陳列された商品Ｇを後から支える商品倒れ防止部材３４を設けているので、傾斜陳列部２７上の商品Ｇが後方に滑り落ちてしまう不都合を防止することが可能となる。この場合、傾斜陳列部２７に前係合孔３２を形成し、水平陳列部２８に後係合孔３３を形成し、商品倒れ防止部材３４の前辺３７下端には前差込部４１を形成し、商品倒れ防止部材３４の後辺３９下端には後差込部４２を形成して、前差込部４１を前係合孔３２に、後差込部４２を後係合孔３３にそれぞれ挿脱自在に差し込むことで、商品倒れ防止部材３４を傾斜陳列部２７と水平陳列部２８間に渡って着脱自在に取り付けるようにしているので、商品倒れ防止部材３４はデッキパン９に強固に取り付けられ、比較的大型の商品Ｇであっても、その荷重を支障なく受け止めることができるようになる。
【００５１】
また、その場合、前係合孔３２及び後係合孔３３を前後にそれぞれ複数形成しておき、前差込部４１及び後差込部４２を差し込む前係合孔３２及び後係合孔３３を変更することで傾斜陳列部２７の奥行き寸法を調整し、この傾斜陳列部２７上に前後寸法の異なる商品Ｇを前後方向に並べても、最前列の商品同士が略面一となるようにしているので、実施例の如くデッキパン９が陳列室４の底部に複数枚並設されているときに、前後寸法が異なる商品Ｇを各デッキパン９の傾斜陳列部２７上に前後方向に並べる場合等に、前差込部４１及び後差込部４２を差し込む前係合孔３２及び後係合孔３３を変更して各傾斜陳列部２７の奥行き寸法を調整することで、傾斜陳列部２７上の最前列の商品Ｇの前面の位置を左右で面一に合わせることが可能となり、商品Ｇの陳列効果や冷気エアーカーテンＲＡの乱れ防止効果を向上させることができるようになる。
【００５２】
但し、傾斜陳列部２７は前上がりに傾斜しているため、前差込部４１及び後差込部４２を差し込む前係合孔３２及び後係合孔３３を変更することで商品倒れ防止部材３４の前後位置が変更されると、商品倒れ防止部材３４の位置を前側に変更する程、前辺３７下端が上昇し、そのままでは商品倒れ防止部材３４は後ろに傾斜するかたちとなってしまうが、図１０〜図１５で説明した如く何れの取付位置においても、商品倒れ防止部材３４の前辺３７及び後辺３９が傾斜陳列部２７及び水平陳列部２８からそれぞれ略垂直に起立する構成としているので、係る商品倒れ防止部材３４の後傾を防止し、何れの位置においても商品Ｇを良好に後から支えることが可能となる。
【００５３】
また、デッキパン９の傾斜陳列部２７の前側には前斜め上方に指向した商品広告部２９を設けているので、傾斜部材２５で傾斜陳列部２７を構成することにより前端部が高くなるデッキパン９の全体形状を利用して商品Ｇの広告を行うことが可能となる。この場合にも商品広告部２９は前斜め上方に指向するので、顧客は商品Ｇの広告を良好に視認することが可能となる。
【００５４】
尚、上記実施例ではデッキパン９の前半分程のみを傾斜陳列部２７としたが、使用状況によってはデッキパン９の商品載置面の全体を傾斜陳列部２７としてもよい。しかしながら、実施例のように前半部分のみを傾斜陳列部２７とすることで、デッキパン９全体を傾斜させる場合に比して、傾斜陳列部２７の前端の高さを低く抑えることができるようになり、陳列室４内のデッドスペースを最小限に抑制することが可能となる。
【００５５】
また、実施例ではデッキパン９を陳列室４内から前方に引き出せるように構成したが、それに限らず、請求項１〜請求項７の発明では引き出し式のデッキパンでは無いオープンショーケースにも本発明は有効である。また、実施例では商品倒れ防止部材３４の前辺３７及び後辺３９が取付位置に拘わらず、傾斜陳列部２７及び水平陳列部２８に対してそれぞれ略垂直となるようにしたが、それに限らず、前辺３７のみが略垂直を維持するような構造としてもよい。しかしながら、実施例のように前辺３７と後辺３９の両方が略垂直となることで、水平陳列部２８上の商品Ｇの前面の向きに後辺３９を合わせてストック中の商品Ｇを安定的に保持することが可能となるものである。
【符号の説明】
【００５６】
１  オープンショーケース
２  断熱壁
３  仕切板
４  陳列室
６  内層ダクト
９  デッキパン
１１  送風装置
１２  冷却器
１３  前面開口
１６  内層吐出口（冷気吐出口）
１８  吸込口（冷気吸込口）
２１  レール
２２  本体
２５  傾斜部材
２７  傾斜陳列部
２８  水平陳列部
２９  商品広告部
３２  前係合孔
３３  後係合孔
３４  商品倒れ防止部材
３７  前辺
３９  後辺
４１  前差込部
４２  後差込部
４２Ａ〜４２Ｃ  一段目〜三段目
Ｇ  商品
ＲＡ  冷気エアーカーテン
【図１】
2014150993.tif 000003
【図２】
2014150993.tif 000004
【図３】
2014150993.tif 000005
【図４】
2014150993.tif 000006
【図５】
2014150993.tif 000007
【図６】
2014150993.tif 000008
【図７】
2014150993.tif 000009
【図８】
2014150993.tif 000010
【図９】
2014150993.tif 000011
【図１０】
2014150993.tif 000012
【図１１】
2014150993.tif 000013
【図１２】
2014150993.tif 000014
【図１３】
2014150993.tif 000015
【図１４】
2014150993.tif 000016
【図１５】
2014150993.tif 000017